(57)【要約】【課題】  溝蓋の着脱作業がし易く、かつ排水溝路に対して溝蓋を完全に固定し得る溝蓋のロック装置を提供する。【解決手段】  ロックボルト１４の緊締方向への回転操作により、ロック杆部２０が退避位置から進出位置へ回動するとともに、螺進作用を介してロック片１６が上昇してロック杆部２０が蓋受枠２の下面に圧接されるロック状態と、該ロック状態でのロックボルト１４の弛緩方向への回転操作により、螺進作用を介してロック片１６が降下してロック杆部２０の蓋受枠２との圧接が解除され、かつ該ロック杆部２０が退避位置に回動するロック解除状態とを生ずるように構成した。これにより、ロック状態では、溝蓋６が蓋受枠２に対して完全に固定され、人や自動車の通行時にガタ付きや跳ね上がりが生ずることがなく、また、ロック解除状態では、溝蓋６の着脱作業を容易に行うことができる。【選択図】    図１
2006077439.tif 000002
【特許請求の範囲】
【請求項１】
排水溝路の上部内縁に配設された蓋受枠に側縁が支承される溝蓋を、該蓋受枠に移動不能に保持するためのロック装置であって、
天板部に挿通孔が形成され、前記溝蓋の、その底面の側縁近傍位置に該天板部が固着されたホルダーと、
該ホルダーの挿通孔に上方から挿通されて回転可能に保持され、かつ溝蓋の上方から回転操作されるロックボルトと、
該ロックボルトと螺合される螺合基部と、該螺合基部から突成されて蓋受枠の下面に係合可能なロック杆部とを備え、回動範囲規制手段によりロック杆部が蓋受枠の下部に形成された嵌挿空隙内で蓋受枠の下面に対向する進出位置と、前記嵌挿空隙から退避する退避位置間を回動するように回動範囲が規制され、かつ、その進出位置と退避位置での回動規制状態でロックボルトの回転操作により、螺進作用を介して昇降するように設けられたロック片と
を備えてなり、
前記ロックボルトの緊締方向への回転操作により、ロック杆部が退避位置から進出位置へ回動するとともに、螺進作用を介してロック片が上昇してロック杆部が蓋受枠の下面に圧接されるロック状態と、該ロック状態でのロックボルトの弛緩方向への回転操作により、螺進作用を介してロック片が降下してロック杆部の蓋受枠との圧接が解除され、かつ該ロック杆部が退避位置に回動するロック解除状態とを生ずるようにしたことを特徴とする溝蓋のロック装置。
【請求項２】
回動範囲規制手段が、ホルダーまたは蓋受枠の所定位置に設けられて、ロック片またはロック杆部の側部に当接する一対のストッパー縁であることを特徴とする請求項１に記載した溝蓋のロック装置。
【請求項３】
ホルダーまたは蓋受枠に、ロック杆部の進出位置で、ロック状態でのロックボルトの弛緩方向への回転時に、ロック杆部の側部に当接して該ロック杆部の回動を規制する所定長さの回動規制片が垂設されていることを特徴とする請求項１又は請求項２に記載した溝蓋のロック装置。
【請求項４】
ロック杆部の上面が、蓋受枠の下面と線接触する山形尖鋭状に形成されていることを特徴とする請求項１乃至請求項３の何れかに記載した溝蓋のロック装置。
【請求項５】
ホルダーの天板部とロック片との間に、ロックボルトに遊嵌されてロック片を下方に付勢する圧縮バネが介装されていることを特徴とする請求項１乃至請求項４の何れかに記載した溝蓋のロック装置。
【請求項６】
ロック片に形成した収納溝に圧縮バネが収納され、かつ該圧縮バネの上部に、ロックボルトに外嵌した状態で収納溝を覆う環状パッキンが配設されていることを特徴とする請求項５に記載した溝蓋のロック装置。
【請求項７】
蓋受枠の下部の嵌挿空隙が、該蓋受枠に設けられた所定形状の囲繞枠体によって構成されていることを特徴とする請求項１乃至請求項６の何れかに記載した溝蓋のロック装置。
【発明の詳細な説明】
【技術分野】
【０００１】
本発明は、道路の側部に設けられた側溝や道路を横断するように設けられた横断溝等の排水溝路に被着される溝蓋を、移動不能に保持するためのロック装置に関する。
【背景技術】
【０００２】
一般に、側溝や横断溝等の排水溝路の上部開口を遮蔽する溝蓋は、排水溝路の対向する上部内縁に夫々配設された蓋受枠に両側縁が支承された状態で、排水溝路に着脱可能に被着されている。このような溝蓋を、鉄やステンレス等の金属材を用いて形成した場合にあって、その成形時の精度誤差によって僅かな反りが生じていたり、使用時に蓋受枠との接触面にゴミ等の異物が噛み込んでいたりすると、人や自動車の通行によって溝蓋がガタ付いて騒音が発生したり、自動車の通行による衝撃で溝蓋が跳ね上がるという問題点がある。
【０００３】
そこで、本願出願人は、このような問題点を解消し得る溝蓋の跳ね上がり防止装置を先に提案している（特許文献１参照）。この跳ね上がり防止装置ａは、図１０に示すように、排水溝路ｂの蓋受枠ｃに支承される溝蓋ｄの、その側縁底面に上端を固着して下方に垂設した垂直片部ｅと、該垂直片部ｅの下端から上方に折り返された弾性圧接片部ｆとを備えており、溝蓋ｄを蓋受枠ｃに支承した状態で、前記弾性圧接片部ｆを排水溝路ｂの内側面ｇに弾接させることにより、溝蓋ｄに対して衝撃が加えられても容易に跳ね上がらない保持作用が得られるようになっている。
【特許文献１】特開２００２−３６４０６０号公報
【発明の開示】
【発明が解決しようとする課題】
【０００４】
ところで、上述の先行技術にあっては、排水溝路ｂの内側面ｇに対する弾接力を得るために、弾性圧接片部ｆの非圧接状態において、該弾性圧接片部ｆが排水溝路ｂの内側面ｇより外方に突出する位置関係で設けられていることにより、溝蓋ｄの着脱時においては弾性圧接片部ｆが排水溝路ｂの内側面ｇに常に弾接した状態で摺動するため、その際に生じる摺動抵抗によって溝蓋ｄの着脱作業がし難いという問題点があった。また、排水溝路ｂの内側面ｇに対する弾性圧接片部ｆの弾接力のみによって、溝蓋ｄを排水溝路ｂに保持するものであるため、溝蓋ｄの完全な固定作用を得ることができなかった。
【０００５】
本発明は、上述した摺動抵抗に起因する溝蓋の着脱作業のし難さを解消し、かつ、排水溝路に対して溝蓋を完全に固定し得る溝蓋のロック装置を提供することを目的とするものである。
【課題を解決するための手段】
【０００６】
本発明は、排水溝路の上部内縁に配設された蓋受枠に側縁が支承される溝蓋を、該蓋受枠に移動不能に保持するためのロック装置であって、天板部に挿通孔が形成され、前記溝蓋の、その底面の側縁近傍位置に該天板部が固着されたホルダーと、該ホルダーの挿通孔に上方から挿通されて回転可能に保持され、かつ溝蓋の上方から回転操作されるロックボルトと、該ロックボルトと螺合される螺合基部と、該螺合基部から突成されて蓋受枠の下面に係合可能なロック杆部とを備え、回動範囲規制手段によりロック杆部が蓋受枠の下部に形成された嵌挿空隙内で蓋受枠の下面に対向する進出位置と、前記嵌挿空隙から退避する退避位置間を回動するように回動範囲が規制され、かつ、その進出位置と退避位置での回動規制状態でロックボルトの回転操作により、螺進作用を介して昇降するように設けられたロック片とを備えてなり、前記ロックボルトの緊締方向への回転操作により、ロック杆部が退避位置から進出位置へ回動するとともに、螺進作用を介してロック片が上昇してロック杆部が蓋受枠の下面に圧接されるロック状態と、該ロック状態でのロックボルトの弛緩方向への回転操作により、螺進作用を介してロック片が降下してロック杆部の蓋受枠との圧接が解除され、かつ該ロック杆部が退避位置に回動するロック解除状態とを生ずるようにしたことを特徴とする溝蓋のロック装置である。
【０００７】
ここで、前記回動範囲規制手段としては、ホルダーまたは蓋受枠の所定位置に設けられて、ロック片またはロック杆部の側部に当接する一対のストッパー縁とする構成が提案される。
【０００８】
さらに、前記ホルダーまたは蓋受枠に、ロック杆部の進出位置で、ロック状態でのロックボルトの弛緩方向への回転時に、ロック杆部の側部に当接して該ロック杆部の回動を規制する所定長さの回動規制片が垂設された構成が提案される。
【０００９】
また、前記ロック杆部の上面を、蓋受枠の下面と線接触する山形尖鋭状に形成した構成が提案される。
【００１０】
また、前記ホルダーの天板部とロック片との間に、ロックボルトに遊嵌されてロック片を下方に付勢する圧縮バネを介装した構成が提案される。
【００１１】
さらに、ロック片に形成した収納溝に前記圧縮バネを収納し、かつ該圧縮バネの上部に、ロックボルトに外嵌した状態で収納溝を覆う環状パッキンを配設した構成が提案される。
【００１２】
また、蓋受枠の下部の嵌挿空隙を、該蓋受枠に設けられた所定形状の囲繞枠体によって構成したものが提案される。
【発明の効果】
【００１３】
本発明は、上述したように、排水溝路の上部内縁に配設された蓋受枠に側縁が支承される溝蓋を、該蓋受枠に移動不能に保持するためのロック装置であって、天板部に挿通孔が形成され、前記溝蓋の、その底面の側縁近傍位置に該天板部が固着されたホルダーと、該ホルダーの挿通孔に上方から挿通されて回転可能に保持され、かつ溝蓋の上方から回転操作されるロックボルトと、該ロックボルトと螺合される螺合基部と、該螺合基部から突成されて蓋受枠の下面に係合可能なロック杆部とを備え、回動範囲規制手段によりロック杆部が蓋受枠の下部に形成された嵌挿空隙内で蓋受枠の下面に対向する進出位置と、前記嵌挿空隙から退避する退避位置間を回動するように回動範囲が規制され、かつ、その進出位置と退避位置での回動規制状態でロックボルトの回転操作により、螺進作用を介して昇降するように設けられたロック片とを備えてなり、前記ロックボルトの緊締方向への回転操作により、ロック杆部が退避位置から進出位置へ回動するとともに、螺進作用を介してロック片が上昇してロック杆部が蓋受枠の下面に圧接されるロック状態と、該ロック状態でのロックボルトの弛緩方向への回転操作により、螺進作用を介してロック片が降下してロック杆部の蓋受枠との圧接が解除され、かつ該ロック杆部が退避位置に回動するロック解除状態とを生ずるようにしたことを特徴とする溝蓋のロック装置であるから、ロックボルトを緊締方向へ回転操作すると、回動範囲規制手段の作用を介して、先ずロック杆部が退避位置から進出位置へ回動し、次にその進出位置で螺進作用を介してロック片が上昇してロック杆部が蓋受枠の下面に圧接するロック状態となる。そして、このロック状態にあって、ロック杆部が蓋受枠の下面に圧接されていることにより、溝蓋が蓋受枠に対して移動不能に保持され、これによって該溝蓋のガタ付きや跳ね上がりを確実に防止することができる。また、前記ロック状態において、ロックボルトを弛緩方向へ回転操作すると、先ず螺進作用を介してロック片が降下してロック杆部の蓋受枠との圧接が解除され、次に該ロック杆部が退避位置に回動してロック解除状態となる。そして、このロック解除状態で溝蓋を着脱し得るので、従来のように、溝蓋の着脱時において弾性圧接片部が排水溝路の内側面に常に弾接した状態で摺動することによる摺動抵抗が生じることがなく、その着脱作業を楽に行うことができる。さらに本発明にあっては、ロック杆部を蓋受枠の下面に圧接させてロック状態とするものであるため、溝蓋の完全な固定作用を得ることができる。
【００１４】
前記回動範囲規制手段を、ホルダーまたは蓋受枠の所定位置に設けられて、ロック片またはロック杆部の側部に当接する一対のストッパー縁とする構成にあっては、各ストッパー縁にロック杆部の側部を選択的に当接させることによって、ロック杆部の回動範囲を簡単に規制することができ、さらに各ストッパー縁にロック杆部の側部が当接した回動規制状態でロックボルトを回動操作することにより、ロック杆部の進出位置と退避位置で螺進作用を介して該ロック杆部を昇降させることができる。
【００１５】
さらに、前記ホルダーまたは蓋受枠に、ロック杆部の進出位置で、ロック状態でのロックボルトの弛緩方向への回転時に、ロック杆部の側部に当接して該ロック杆部の回動を規制する所定長さの回動規制片が垂設された構成にあっては、使用時に人や自動車の通行による振動や衝撃でロックボルトが多少緩んだ場合に、ロック杆部の側部に当接する回動規制片によって、ロック杆部が進出位置に保持され、直ちに退避位置に回動することがないので、ガタ付きは生じても、最低限、溝蓋の跳ね上がりを防止することができる。
【００１６】
また、前記ロック杆部の上面を、蓋受枠の下面と線接触する山形尖鋭状に形成した構成にあっては、ロック杆部が蓋受枠の下面に圧接するロック状態において、山形尖鋭状のロック杆部の上面が蓋受枠の下面に線接触した状態で圧接することにより、その圧接力が増大され、溝蓋を蓋受枠に対して強固に保持させることができる。さらに、ロック杆部の上面に砂が堆積し難くなるという効果も得られる。
【００１７】
また、前記ホルダーの天板部とロック片との間に、ロックボルトに遊嵌されてロック片を下方に付勢する圧縮バネを介装した構成にあっては、ロック解除状態において、ロック杆部の自由回動が防止され、該ロック杆部を退避位置に保持することができる。ここで、ロック杆部の自由回動が可能である場合には、溝蓋の着脱作業時において該溝蓋を傾斜させると、ロック杆部が自重によって進出位置に回動して、該ロック杆部が蓋受枠に引っ掛かってその着脱に困難を来す場合もあるが、上記のように、圧縮バネでロック片を下方に付勢してロック杆部を退避位置に保持することにより、溝蓋の着脱作業時に該溝蓋を傾斜させてもロック杆部が進出位置へ回動しないため、溝蓋の着脱作業を容易に行うことができる。
【００１８】
さらに、ロック片に形成した収納溝に前記圧縮バネを収納し、かつ該圧縮バネの上部に、ロックボルトに外嵌した状態で収納溝を覆う環状パッキンを配設した構成にあっては、ロックボルトの緊締時に、ホルダーの天板部とロック片とで圧潰される環状パッキンによって収納溝が遮蔽され、これによって収納溝内への砂や泥の侵入を防止することができる。
【００１９】
また、蓋受枠の下部の嵌挿空隙を、該蓋受枠に設けられた所定形状の囲繞枠体によって構成したものにあっては、排水溝路を形成するためのコンクリート打設時に、排水溝路の上部内縁に配設される蓋受枠の下部に所要の嵌挿空隙を容易に形成することができ、その作業能率が向上する。
【発明を実施するための最良の形態】
【００２０】
以下に、本発明にかかる溝蓋のロック装置の第一実施例を、図１〜図７に基づいて説明する。
排水溝路１は、コンクリートｐの打設により断面略コ字形に形成されており、この排水溝路１の対向する上部内縁には、図１，図２に示すように、金属製アングル材からなる略Ｌ形の蓋受枠２が夫々配設されている。この蓋受枠２の水平状蓋受け縁２ａの下面には、後述する溝蓋６の少なくとも四隅に対応する位置に、排水溝路１の内方に向けて開口する囲繞枠体３が溶接等の接合手段を介して夫々固着されている。該囲繞枠体３は、図１〜図３に示すように、左右側壁４ａ，４ａと底壁４ｂと後壁４ｃとによって略箱形に形成されており、該囲繞枠体３を予め水平状蓋受け縁２ａの下面に固着した状態で、図示しないアンカーにより所定位置に保持した蓋受枠２の外方周囲にコンクリートｐを打設することにより、該囲繞枠体３によって蓋受枠２の下部に、後述するロック杆部２０が嵌挿される嵌挿空隙５が生じるように構成されている。尚、この嵌挿空隙５は、抜き型を用いて蓋受枠２の下部のコンクリートｐ内に直に形成することも可能であるが、前記囲繞枠体３を予め水平状蓋受け縁２ａの下面に固着した状態でコンクリートｐを打設するようにすれば、嵌挿空隙５を容易に形成することができ、その作業能率が向上する。また、排水溝路１は、断面略Ｕ字形のコンクリート製溝材を用いて構成することも可能であり、この場合には、該コンクリート製溝材に蓋受枠２と嵌挿空隙５とが予め設けられる。
【００２１】
前記排水溝路１には、両側の蓋受枠２に側縁が夫々支承された状態で、排水溝路１の上部開口を遮蔽する矩形状の溝蓋６が着脱可能に被着されている。該溝蓋６は金属製グレーチングからなり、所定間隔で並列した複数のメインバー７と、各メインバー７の両側端部に沿って夫々差し渡されたサイドバー８と、各メインバー７の両側端部間に所定間隔で直交状に差し渡された適数本のクロスバー９とによって構成されている。尚、本発明にあって、溝蓋６は必ずしもグレーチングである必要はなく、排水溝路１の上部開口を遮蔽し得る所定の強度を備えたもの、例えば、鋼板と補強桟を組み付けたような金属性溝蓋（図示省略）であってもよい。この場合には、後述するロックボルト１４の上方に回転操作用の透孔が形成されることとなる。
【００２２】
一方、前記溝蓋６の少なくとも四隅部分で、前記各嵌挿空隙５に対応する位置には、本発明の要部にかかるロック装置１０が夫々配設されている。該ロック装置１０は、図１，図２に示すように、天板部１１に挿通孔１２が形成されたホルダー１３を備えており、該天板部１１が溝蓋６の底面の側縁近傍位置に、溶接等の接合手段を介して固着されている。このホルダー１３には、天板部１１の挿通孔１２に上方から挿通されたロックボルト１４が回転可能に保持されている。このロックボルト１４は、溝蓋６を構成する金属製グレーチングの、その隣接する各メインバー７，７間に生じる隙間内に位置しており、これによって溝蓋６の上方から回転操作し得るようになっている。
【００２３】
前記ロックボルト１４の雄螺子杆部１５は、ロック片１６を構成する螺合基部１７に形成された上下方向の雌螺子孔１８に螺合されている。また、該螺合基部１７から下方に突出する雄螺子杆部１５の下端部には抜止めピン１９が側方から嵌入されており、該抜止めピン１９によってロックボルト１４の雄螺子杆部１５からロック片１６が脱落しないようになっている。前記ロック片１６は、ロックボルト１４と螺合される前記螺合基部１７と、該螺合基部１７から突成されて蓋受枠２の下面に係合可能なロック杆部２０とを備えている。該ロック杆部２０の上面は、図２に示すように、山形尖鋭状に形成されており、これによって、該ロック杆部２０の上面が、蓋受枠２の下面に線接触し得るようになっている。
【００２４】
ロック片１６は、ロックボルト１４の回転操作を介して回動され、かつ、雌螺子孔１８に螺合された雄螺子杆部１５の螺進作用によって該雄螺子杆部１５に対して相対的に昇降するようになっている。ここで、前記ホルダー１３は、図３に示すように、天板部１１から下方に延成された略Ｌ形の側板部２１を備えており、該側板部２１の両側縁が回動範囲規制手段としての一対のストッパー縁２２ａ，２２ｂとなっている。そして、該ストッパー縁２２ａ，２２ｂにロック杆部２０の側部を選択的に当接させることによって、ロック片１６の回動範囲が規制されており、該ロック片１６は、ロック杆部２０が蓋受枠２の下部に形成された嵌挿空隙５内で蓋受枠２の下面に対向する進出位置と、前記嵌挿空隙５から退避する退避位置間を略９０°に亘って回動するようになっている。また、ストッパー縁２２ａにロック杆部２０の側部が当接する進出位置では、ロックボルト１４の緊締方向への回転操作により、ストッパー縁２２ａに回動規制されているロック片１６が雄螺子杆部１５の緊締方向への回転による螺進作用を介して上昇し、図４に示すように、ロック杆部２０が蓋受枠２の下面に圧接されるロック状態となり、該ロック状態でのロックボルト１４の弛緩方向への回転操作により、ロック片１６が雄螺子杆部１５の弛緩方向への回転による螺進作用を介して降下してロック杆部２０の蓋受枠２との圧接が解除され、かつ、図３に示すように、該ロック杆部２０がストッパー縁２２ｂに当接する退避位置まで回動してロック解除状態が生じるようになっている。また、ストッパー縁２２ｂにロック杆部２０の側部が当接する退避位置では、ロックボルト１４の弛緩方向への回転操作により、該ストッパー縁２２ｂに回動規制されているロック片１６が雄螺子杆部１５の弛緩方向への回転による螺進作用を介して降下する。
【００２５】
また、ホルダー１３の天板部１１には、図５に示すように、ロック杆部２０の進出位置で、ロック状態でのロックボルト１４の弛緩方向への回転時に、ロック杆部２０の側部に当接して該ロック杆部２０の退避位置方向への回動を規制する所定長さの回動規制片２３が垂設されている。
【００２６】
かかる構成にあって、溝蓋６の少なくとも四隅部分に夫々配設された各ロック装置１０のロック杆部２０が、図２に示すように、退避位置にあるロック解除状態において、各ロック装置１０のロックボルト１４を緊締方向へ回転操作すると、図１，図３に示すように、先ずロック杆部２０が退避位置から進出位置へ回動し、次にその進出位置で螺進作用を介してロック片１６が上昇して、図４に示すように、ロック杆部２０が蓋受枠２の下面に圧接するロック状態となる。そして、このロック状態にあって、ロック杆部２０が蓋受枠２の下面に圧接されていることにより、溝蓋６が蓋受枠２に対して移動不能に保持され、これによって該溝蓋６のガタ付きや跳ね上がりを確実に防止することができる。また、ロック杆部２０の上面が山形尖鋭状に形成されていることにより、このロック状態において、山形尖鋭状のロック杆部２０の上面が蓋受枠２の下面に線接触した状態で圧接することにより、その圧接力が増大され、溝蓋６を蓋受枠２に対して強固に保持させることができる。さらに、ホルダー１３には、ロック杆部２０の進出位置で、ロック状態でのロックボルト１４の弛緩方向への回転時に、ロック杆部２０の側部に当接して該ロック杆部２０の回動を規制する所定長さの回動規制片２３が垂設されていることにより、使用時に人や自動車の通行による振動や衝撃でロックボルト１４が多少緩んでも、ロック杆部２０の側部に当接する回動規制片２３によって、ロック杆部２０が進出位置に保持され、直ちに退避位置に回動することがない。これにより、ガタ付きは生じても、最低限、溝蓋６の跳ね上がりを防止する機能を確保することができる。
【００２７】
また、前記ロック状態において、ロックボルト１４を弛緩方向へ回転操作すると、先ず螺進作用を介してロック片１６が降下してロック杆部２０の蓋受枠２との圧接が解除され、次に該ロック杆部２０が回動規制片２３の長さ以上に降下すると、ロック杆部２０が退避位置に回動してロック解除状態となる。そして、このロック解除状態で溝蓋６を着脱し得るので、従来のように、溝蓋６の着脱時において弾性圧接片部ｆ（図１０参照）が排水溝路１の内側面に常に弾接した状態で摺動することによる摺動抵抗が生じることがなく、その着脱作業を楽に行うことができる。さらに本発明にあっては、ロック杆部２０を蓋受枠２の下面に圧接させてロック状態とするものであるため、溝蓋６の完全な固定作用を得ることができる。
【００２８】
尚、上述した第一実施例では、ロック片１６の進出位置でロック杆部２０の側部に当接して回動範囲を規制するストッパー縁２２ａを、ホルダー１３に形成した側板部２１の一方の側縁によって構成するようにしているが、これに代えて、図６（イ）に示すように、囲繞枠体３の一方の側壁４ａをストッパー縁２２ａとしてもよい。また、囲繞枠体３を用いないで嵌挿空隙５を形成する場合には、図６（ロ）に示すように、蓋受枠２の下面からストッパー縁２２ａを垂設してもよい。さらに、上述した第一実施例では、回動規制片２３をホルダー１３に垂設しているが、これに代えて、図７に示すように、蓋受枠２の下面から回動規制片２３を垂設してもよい。
【００２９】
図８は、第二実施例を示し、この第二実施例は、ホルダー１３の天板部１１とロック片１６との間に、ロックボルト１４に遊嵌されてロック片１６を下方に付勢する圧縮バネ２４を介装したものである。その他の構成は第一実施例と同じであり、同一部分に同一符号を付して重複する説明を省略する。
【００３０】
かかる構成にあっては、ロック解除状態において、圧縮バネ２４でロック片１６を下方に付勢することによりロック杆部２０の自由回動が防止され、該ロック杆部２０を退避位置に保持することができる。ここで、ロック杆部２０の自由回動が可能である場合には、溝蓋６の着脱作業時において該溝蓋６を傾斜させると、ロック杆部２０が自重によって進出位置に回動して、該ロック杆部２０が蓋受枠２に引っ掛かってその着脱に困難を来す場合もあるが、上記のように、圧縮バネ２４でロック片１６を下方に付勢してロック杆部２０を退避位置に保持することにより、溝蓋６の着脱作業時に該溝蓋６を傾斜させてもロック杆部２０が進出位置へ回動しないため、溝蓋６の着脱作業を容易に行うことができる。
【００３１】
図９は、第三実施例を示し、この第三実施例は、ロック片１６の雌螺子孔１８の上部に圧縮バネ２４を収納する収納溝２５が形成されており、さらに、該収納溝２５に収納された圧縮バネ２４の上部に、ロックボルト１４に外嵌した状態で収納溝２５を覆う環状パッキン２６を配設したものである。ここで、該環状パッキン２６は、適宜の弾性を備えたゴムや合成樹脂等の密封性弾性素材によって形成されており、ロックボルト１４が挿通される中央の挿通孔２７は、該ロックボルト１４の直径より僅かに大きい内径となっている。これにより、該環状パッキン２６が圧潰されると挿通孔２７の内周面がロックボルト１４に圧接されて、ロックボルト１４との隙間がなくなるようになっている。尚、この環状パッキン２６と圧縮バネ２４との間には平座金２８が介装されている。
【００３２】
かかる構成にあって、ロックボルト１４の緊締時に、ホルダー１３の天板部１１とロック片１６とで環状パッキン２６が圧潰されると収納溝２５の上部が遮蔽され、これによって該収納溝２５内への砂や泥の侵入を防止することができる。
【図面の簡単な説明】
【００３３】
【図１】第一実施例にかかるロック装置１０を備えた溝蓋６の施工状態を示す側断面図である。
【図２】同上のロック装置１０のロック解除状態を示す作用説明図である。
【図３】同上のロック装置１０の底面図である。
【図４】同上のロック装置１０のロック状態を示す作用説明図である。
【図５】ホルダー１３に設けられた回動規制片２３の構成と、その作用を示す側断面図である。
【図６】（イ）は囲繞枠体３の一方の側壁４ａをストッパー縁２２ａとした構成、（ロ）は蓋受枠２の下面からストッパー縁２２ａを垂設した構成を示すロック装置１０の底面図である。
【図７】蓋受枠２の下面から回動規制片２３を垂設した構成を示すロック装置１０の底面図である。
【図８】第二実施例にかかるロック装置１０を備えた溝蓋６の施工状態を示す側断面図である。
【図９】第三実施例にかかるロック装置１０を備えた溝蓋６の施工状態を示す側断面図である。
【図１０】従来構成の跳ね上がり防止装置ａを備えた溝蓋ｄの施工状態を示す側断面図である。
【符号の説明】
【００３４】
１  排水溝路
２  蓋受枠
３  囲繞枠体
５  嵌挿空隙
６  溝蓋
１０  ロック装置
１１  天板部
１２  挿通孔
１３  ホルダー
１４  ロックボルト
１７  螺合基部
１６  ロック片
２０  ロック杆部
２２ａ，２２ｂ  ストッパー縁（回動範囲規制手段）
２３  回動規制片
２４  圧縮バネ
２５  収納溝
２６  環状パッキン
【図１】
2006077439.tif 000003
【図２】
2006077439.tif 000004
【図３】
2006077439.tif 000005
【図４】
2006077439.tif 000006
【図５】
2006077439.tif 000007
【図６】
2006077439.tif 000008
【図７】
2006077439.tif 000009
【図８】
2006077439.tif 000010
【図９】
2006077439.tif 000011
【図１０】
2006077439.tif 000012